【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
複数種類の絵柄を施したリールを複数列備え、メダルまたは玉等の遊技媒体を投入し、ゲームの開始操作により前記複数列のリールをリール絵柄表示窓上で移動を開始させ、制御部の内部抽選により所定の入賞役の当否を抽選し、各リールに対応した停止操作に対してハズレを含む前記内部抽選の結果に基づいた入賞役の絵柄の組合せが前記リール絵柄表示窓上に表示されるように所定の範囲内で引き込み制御を行うことで前記各リールを制御して停止させ、停止した前記リール絵柄表示窓上の前記絵柄の組合せが所定の入賞役に対応する絵柄の組合せである場合、前記所定の入賞役に入賞して、対応する所定の数の遊技媒体を配当として払出すスロットマシンであって、
前記入賞役には、ビッグボーナスゲームを開始させるビッグボーナスと、第１の入賞役及び第２の入賞役の前記内部抽選が共通に実施されるグループ入賞役と、が含まれ、
前記ビッグボーナスゲーム中の前記内部抽選の結果、前記グループ入賞役に当選した場合には、前記停止操作に応じて前記第１の入賞役又は前記第２の入賞役のいずれか一方に対応する絵柄の組合せが前記リール絵柄表示窓上に表示されるように前記各リールを制御して停止させ、
配当として払出される前記遊技媒体の数は、前記第２の入賞役に入賞した場合よりも、前記第１の入賞役に入賞した場合の方が多いことを特徴とするスロットマシン。
【請求項２】
前記ビッグボーナスゲーム中の前記内部抽選の結果、前記グループ入賞役に当選した場合に、これを報知する報知手段を備えたことを特徴とする請求項１に記載のスロットマシン。
【請求項３】
前記報知手段は、配当として払出される前記遊技媒体の数が前記第２の入賞役の場合よりも多い前記第１の入賞役に対応する絵柄の組合せを構成する絵柄を狙うよう、遊技者に報知することを特徴とする請求項２に記載のスロットマシン。
【請求項４】
前記報知手段は、前記グループ入賞役に当選したことを、前記停止操作が受付可能となるまでに報知することを特徴とする請求項２又は３に記載のスロットマシン。
【請求項５】
前記入賞役には、前記グループ入賞役であるグループ１の入賞役と、第３の入賞役と前記第２の入賞役との前記内部抽選が共通に実施されるグループ２の入賞役と、が含まれ、
前記ビッグボーナスゲーム中の前記内部抽選の結果、前記グループ１の入賞役に当選した場合には、前記停止操作に応じて前記第１の入賞役又は前記第２の入賞役のいずれか一方に対応する絵柄の組合せが前記リール絵柄表示窓上に表示されるように前記各リールを制御して停止させ、
前記ビッグボーナスゲーム中の前記内部抽選の結果、前記グループ２の入賞役に当選した場合には、前記停止操作に応じて前記第３の入賞役又は前記第２の入賞役のいずれか一方に対応する絵柄の組合せが前記リール絵柄表示窓上に表示されるように前記各リールを制御して停止させ、
配当として払出される前記遊技媒体の数は、前記第２の入賞役に入賞した場合よりも、前記第１及び第３の入賞役に入賞した場合の方が多いことを特徴とする請求項１に記載のスロットマシン。
【請求項６】
前記リールのうちの一つの前記リールである所定のリールには、前記第１の入賞役に対応する絵柄の組合せを構成する第１の絵柄と、前記第２の入賞役に対応する絵柄の組合せを構成する、前記第１の絵柄と異なる第２の絵柄と、が施されており、
前記所定のリールには、前記第２の絵柄は分散されて複数配置されている一方、前記第１の絵柄は分散されて配置されていないことを特徴とする請求項１に記載のスロットマシン。
【請求項７】
複数種類の絵柄を施したリールを複数列備え、メダルまたは玉等の遊技媒体を投入し、ゲームの開始操作により前記複数列のリールをリール絵柄表示窓上で移動を開始させ、制御部の内部抽選により所定の入賞役の当否を抽選し、各リールに対応した停止操作に対してハズレを含む前記内部抽選の結果に基づいた入賞役の絵柄の組合せが前記リール絵柄表示窓上に表示されるように所定の範囲内で引き込み制御を行うことで前記各リールを制御して停止させ、停止した前記リール絵柄表示窓上の前記絵柄の組合せが所定の入賞役である場合、前記所定の入賞役に入賞し、対応する所定の数の遊技媒体を配当として払出すスロットマシンであって、
前記入賞役には、ビッグボーナスゲームを開始させるビッグボーナスと、第１の入賞役及び第２の入賞役の前記内部抽選が共通に実施されるグループ入賞役と、前記内部抽選が単独で実施される前記第２の入賞役と、が含まれ、
前記ビッグボーナスゲーム中の前記内部抽選の結果、前記グループ入賞役に当選した場合には、前記停止操作に応じて前記第１の入賞役又は前記第２の入賞役のいずれか一方に対応する絵柄の組合せが前記リール絵柄表示窓上に表示されるように前記各リールを制御して停止させ、
配当として払出される前記遊技媒体の数は、前記第２の入賞役に入賞した場合よりも、前記第１の入賞役に入賞した場合の方が多いことを特徴とするスロットマシン。
【請求項８】
前記ビッグボーナスゲーム中の前記内部抽選の結果、前記グループ入賞役に当選した場合に、これを報知する報知手段を更に備え、
前記報知手段は、前記報知を、変更可能に設定される報知割合で行うことを特徴とする請求項７に記載のスロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００１
【補正方法】変更
【補正の内容】
【０００１】
本発明は、遊技媒体（メダル、玉等）を投入し、複数の種類の絵柄からなるリールを移動（回転）させ、それらを停止した際にリール絵柄表示窓上に停止した絵柄の組合せから入賞が定められ、所定の遊技媒体の払出しを受けることを楽しむスロットマシンに関する。
【手続補正４】
【補正対象書類名】明細書
【補正対象項目名】０００７
【補正方法】変更
【補正の内容】
【０００７】
本発明は、以上のような従来の問題点に鑑み提案されるものであって、本発明の解決しようとする課題は、遊技者の技術レベルに応じて段階的に格差ができ、初心から上級まで全般の遊技者がそれぞれ興趣をもって遊技に参加できるスロットマシンを提供することを目的とする。
【手続補正５】
【補正対象書類名】明細書
【補正対象項目名】０００８
【補正方法】変更
【補正の内容】
【０００８】
本発明は、この課題を解決するためになされたものであって、本発明によれば、複数種類の絵柄を施したリールを複数列備え、メダルまたは玉等の遊技媒体を投入し、ゲームの開始操作により前記複数列のリールをリール絵柄表示窓上で移動を開始させ、制御部の内部抽選により所定の入賞役の当否を抽選し、各リールに対応した停止操作に対してハズレを含む前記内部抽選の結果に基づいた入賞役の絵柄の組合せが前記リール絵柄表示窓上に表示されるように所定の範囲内で引き込み制御を行うことで前記各リールを制御して停止させ、停止した前記リール絵柄表示窓上の前記絵柄の組合せが所定の入賞役に対応する絵柄の組合せである場合、前記所定の入賞役に入賞して、対応する所定の数の遊技媒体を配当として払出すスロットマシンであって、前記入賞役には、ビッグボーナスゲームを開始させるビッグボーナスと、第１の入賞役及び第２の入賞役の前記内部抽選が共通に実施されるグループ入賞役と、が含まれ、前記ビッグボーナスゲーム中の前記内部抽選の結果、前記グループ入賞役に当選した場合には、前記停止操作に応じて前記第１の入賞役又は前記第２の入賞役のいずれか一方に対応する絵柄の組合せが前記リール絵柄表示窓上に表示されるように前記各リールを制御して停止させ、配当として払出される前記遊技媒体の数は、前記第２の入賞役に入賞した場合よりも、前記第１の入賞役に入賞した場合の方が多いことを特徴とする。
また、本発明によれば、複数種類の絵柄を施したリールを複数列備え、メダルまたは玉等の遊技媒体を投入し、ゲームの開始操作により前記複数列のリールをリール絵柄表示窓上で移動を開始させ、制御部の内部抽選により所定の入賞役の当否を抽選し、各リールに対応した停止操作に対してハズレを含む前記内部抽選の結果に基づいた入賞役の絵柄の組合せが前記リール絵柄表示窓上に表示されるように所定の範囲内で引き込み制御を行うことで前記各リールを制御して停止させ、停止した前記リール絵柄表示窓上の前記絵柄の組合せが所定の入賞役である場合、前記所定の入賞役に入賞し、対応する所定の数の遊技媒体を配当として払出すスロットマシンであって、前記入賞役には、ビッグボーナスゲームを開始させるビッグボーナスと、第１の入賞役及び第２の入賞役の前記内部抽選が共通に実施されるグループ入賞役と、前記内部抽選が単独で実施される前記第２の入賞役と、が含まれ、前記ビッグボーナスゲーム中の前記内部抽選の結果、前記グループ入賞役に当選した場合には、前記停止操作に応じて前記第１の入賞役又は前記第２の入賞役のいずれか一方に対応する絵柄の組合せが前記リール絵柄表示窓上に表示されるように前記各リールを制御して停止させ、配当として払出される前記遊技媒体の数は、前記第２の入賞役に入賞した場合よりも、前記第１の入賞役に入賞した場合の方が多いことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
本発明によれば、遊技者の技術レベルに応じて段階的に格差ができ、初心から上級まで全般の遊技者がそれぞれ興趣をもって遊技に参加できるスロットマシンを提供することができる。